(57)【要約】【課題】固体電極型イオン選択電極の電位安定性を向上させ個体差を小さくする。【解決手段】測定溶液と接するイオン感応膜１０５と，イオン感応膜１０５と接するグラファイトと液体オイルの混合体１０４と，グラファイトと液体オイルの混合体１０４に接する導電体１０３とを備える。【選択図】図１
2015068796.tif 000002
【特許請求の範囲】
【請求項１】
測定溶液中の測定対象イオンを選択的に検出する電極であって，
測定溶液と接するイオン感応膜と，
前記イオン感応膜と接するグラファイトと液体オイルの混合体と，
前記グラファイトと液体オイルの混合体に接する導電体と，
を備えることを特徴とする電極。
【請求項２】
請求項１記載の電極において，
前記イオン感応膜は可塑剤を含み，
前記液体オイルは前記可塑剤を含むことを特徴とする電極。
【請求項３】
請求項２記載の電極において，
前記イオン感応膜に含まれる前記可塑剤の重量比と，前記グラファイトと液体オイルの混合体に含まれる前記可塑剤の重量比の相対差が３０％以内であることを特徴とする電極。
【請求項４】
請求項２記載の電極において，
前記イオン感応膜は疎水性陰イオンを含み，
前記グラファイトと液体オイルの混合体は前記疎水性陰イオンを含むことを特徴とする電極。
【請求項５】
請求項２記載の電極において，
前記イオン感応膜は測定対象イオンと選択的に結合する物質を含み，
前記グラファイトと液体オイルの混合体は測定対象イオンと選択的に結合する前記物質を含むことを特徴とする電極。
【請求項６】
請求項１記載の電極において，
前記液体オイルはフッ素系高分子またはフッ素系オイルであることを特徴とする電極。
【請求項７】
請求項１記載の電極において，
前記グラファイトは合成グラファイトであることを特徴とする電極。
【請求項８】
測定溶液中の測定対象イオンを選択的に検出する電極であって，
シリコンもしくは樹脂製の電極基板と，
前記電極基板の上に形成された導電性電極と，
前記導電性電極と接するグラファイトと液体オイルの混合体と，
前記グラファイトと液体オイルの混合体と接するイオン感応膜と，
を備えることを特徴とする電極。
【請求項９】
測定溶液中のイオン濃度を計測する装置であって，
測定溶液中の測定対象イオンを選択的に検出する電極を複数備え，
前記電極の一部または全部は測定溶液と接するイオン感応膜と，
前記イオン感応膜と接するグラファイトと液体オイルの混合体と，
前記グラファイトと液体オイルの混合体に接する導電体と
を備えることを特徴とする測定装置。
【発明の詳細な説明】
【技術分野】
【０００１】
本発明は，溶液中の電解質濃度を測定するために用いるイオン選択電極に関する。
【背景技術】
【０００２】
イオン選択電極（ＩＳＥ；Ion Selective Electrode）は参照電極と共に試料液に浸して電極間の電位差を計測し，試料中の測定対象イオンを定量する。この簡便さゆえ分析分野で広く利用されている。医療分野では臨床検査に用いられており，電解質測定の専用機だけでなく生化学自動分析装置，緊急検体検査装置，その場検査（Point Of Care Testing）装置で電解質測定のために用いられている。
【０００３】
イオン選択電極では複数のイオンから測定対象のイオンを選択的に測定するため，イオン感応膜を用いている。一般的にはポリ塩化ビニルなどの高分子の基材に，可塑剤とともにリガンドや場合によっては塩を混ぜ合わせたものをイオン感応膜として用いる。イオン感応膜は測定対象イオン濃度に応じてネルンストの式に従う電位を発生させるため，一方の面を一定濃度の水溶液に接した状態でもう一方の面を試料液に接触させることで，試料液中の測定対象イオン濃度に応じた起電力を得ることができる。得られた起電力から測定対象イオン濃度を算出する。このような，感応膜の試料液の反対側が水溶液やゲルで満たされたものは内部液型イオン選択電極と呼ばれている。
【０００４】
内部液型イオン選択電極に対して，感応膜の試料液の反対側の面を導電性の電極に直接接触させたものは Coated Wire - Ion Selective Electrode (CW-ISE) や Solid Contact - Ion Selective Electrode (SC-ISE) と言われている。ここでは，これらを固体電極と呼ぶ。固体電極は内部液が不要となるため小型化がし易く，その場検査向けの装置に適用されている。感応膜に接触させる電極（下地電極）としては，白金，導電性高分子で被覆した塩化銀，単分子膜で修飾した金，多孔質カーボン，カーボンブラック，グラファイトと高分子の混合体が用いられてきた。
【先行技術文献】
【特許文献】
【０００５】
【特許文献１】特表２００７−５３４９４９号公報
【発明の概要】
【発明が解決しようとする課題】
【０００６】
発明者は電位安定性が高く個体差が小さい固体電極型イオン選択電極を考案すべく，研究開発を行った。その結果，従来の方法では十分な電位安定性と個体差を両立するものが得られないことが分かった。
【０００７】
原因を考察したところ，下地電極と感応膜，感応膜と試料液の間の電位を支配するイオンが異なるもしくは不明であることが分かった。例えば，下地電極に単分子膜被覆の金を用いた場合，感応膜と下地電極の間では酸化還元に伴う電子授受が電位を支配するのに対して，感応膜と試料液の間では測定対象イオン，例えばカリウムイオンが電位を支配する。
【課題を解決するための手段】
【０００８】
本発明のイオン選択電極は，グラファイトと液体オイルの混合体を下地電極に有する。
すなわち，本発明のイオン選択電極は，測定溶液中の測定対象イオンを選択的に検出する電極であって，測定溶液と接するイオン感応膜と，イオン感応膜と接するグラファイトと液体オイルの混合体と，グラファイトと液体オイルの混合体に接する導電体と，を備える。
【０００９】
一例として，イオン感応膜は可塑剤を含み，液体オイルはそれと同じ可塑剤を含む。
一例として，イオン感応膜に含まれる可塑剤の重量比と，グラファイトと液体オイルの混合体に含まれる可塑剤の重量比の相対差は３０％以内である。
一例として，イオン感応膜は疎水性陰イオンを含み，グラファイトと液体オイルの混合体はそれと同じ疎水性陰イオンを含む。
一例として，イオン感応膜は測定対象イオンと選択的に結合する物質を含み，グラファイトと液体オイルの混合体はそれと同じ物質を含む。
一例として，液体オイルはフッ素系高分子またはフッ素系オイルである。
一例として，グラファイトは合成グラファイトである。
【発明の効果】
【００１０】
本発明によると，グラファイトと液体オイルの混合体を下地電極に用いることで，下地電極が測定対象イオンである一価の陽イオン例えばリチウム，カリウム，ナトリウムに応答するため，一価の陽イオンに対する感応膜を用いた場合，感応膜の両側で電位を支配するイオンが共通になり，十分な電位安定性と十分小さな個体差を得ることができる。
【００１１】
グラファイトと液体オイルの混合体であるため，均一な混合体を一度に作製し，複数の同一成分の下地電極を作製することができる。そのため，個体差を低減することができる。
【００１２】
液体オイルとしてイオン感応膜に含まれる可塑剤を用いることで，イオン感応膜からの下地電極への可塑剤の拡散による電位変動を抑制し，電位安定性を向上させることができる。さらに，下地電極にイオン感応膜に含まれる化合物である塩やリガンドを加えることで，時間経過後も良好な個体差を維持することができる。
【００１３】
グラファイトとフッ素系高分子の混合体を下地電極に用いることで，一価の陽イオンに対する応答を維持したまま，イオン感応膜に含まれる可塑剤などの成分の下地電極への拡散を防ぐことができる。
【００１４】
グラファイトに合成グラファイトを用いることで，天然グラファイトに含まれる様々な感応基を表面に有する炭素を含まないため，これら炭素による副反応を抑制し，電位安定性を得ることができる。
上記した以外の，課題，構成及び効果は，以下の実施形態の説明により明らかにされる。
【図面の簡単な説明】
【００１５】
【図１】固体電極型イオン選択電極の一例を示す概略図。
【図２】内部液型イオン選択電極の一例を示す概略図。
【図３】電解質測定装置の一例を示す概略図。
【図４】電解質測定装置の一例を示す概略図。
【図５】電解質濃度測定の結果の一例を示す図。
【図６】グラファイトと液体オイルの混合体の一価の陽イオンに対する応答性を示す測定結果の図。
【図７】グラファイトと液体オイルの混合体の二価の陽イオンに対する応答性を示す測定結果の図。
【図８】固体電極の電位の経日変化を示す図。
【図９】固体電極の電位の経日変化を示す図。
【図１０】固体電極の電位の経日変化を示す図。
【図１１】固体電極の電位の個体差を示す図。
【図１２】電解質濃度測定の結果の一例を示す図。
【図１３】グラファイトと液体オイルの混合体の一価の陽イオンに対する応答性を示す測定結果の図。
【図１４】固体電極型イオン選択電極の一例を示す概略図。
【図１５】電解質濃度測定装置を用いたシステムの例を示す図。
【発明を実施するための形態】
【００１６】
以下，図面を参照して本発明の実施の形態を説明する。
図１は，固体電極型イオン選択電極の一例を示す概略図である。イオン選択電極のカートリッジ１０１には流路１０２が通っており，（ａ）は流路に垂直な面を，（ｂ）は流路に平行な面を示した図である。（ｃ）は（ａ）の鎖線での断面を表した図であり，流路に感応膜１０５が接しており，流路と反対側にはグラファイトと液体オイルの混合体１０４が充填され，混合体１０４には白金線１０３が接触している。白金線１０３は端子も兼ねている。感応膜１０５には，Pure Appl. Chem., Vol. 72, No. 10, pp. 1851-2082, 2000 に記載されているようなリチウム，ナトリウム，カリウムなどのイオン選択膜を用いることができる。
【００１７】
図１のイオン選択電極の作製法の一例を記す。ポリ塩化ビニル，ポリスチレン，ポリプロピレンなどの樹脂でできたカートリッジ１０１に，感応膜１０５を貼り付ける。貼り付けにはテトラヒドロフランなどの溶剤を用いてもよいし，機械的に押し付けても良い。次に，グラファイトと液体オイルの混合体１０４を感応膜１０５上に配置した。グラファイトと液体オイルの混合体１０４は，グラファイトと液体オイルを重量比１：２程度で混合し，乳鉢で良く混ぜ合わせておいた。フタ１０６をし，フタ１０６に開いた穴から白金線１０３を挿入し，グラファイトと液体オイルの混合体１０４に接触させ，電気的に接続した。
【００１８】
液体オイルは想定される使用環境である０〜５０℃において，液体の状態であることが好ましい。液体の状態であることで，以下で説明する一価の陽イオンに対する応答が期待できるばかりでなく，感応膜との密着性が保たれたり，液体中をイオンが動く場合はその動きが速くなり応答性が向上したりするためである。また，使用される条件下で液体であれば，これらの温度範囲すべてにおいて液体である必要はない。液体オイルには，水と混和しない物質，例として，パラフィンなどのアルカン，Pure Appl. Chem., Vol. 72, No. 10, pp. 1851-2082, 2000に記載されているＤＯＡ，ＤＯＰ，ＤＯＳ，ｏＮＰＯＥなどの可塑剤，フッ素系高分子，フッ素系オイルを用いることができる。
【００１９】
図２は，比較のために用いた内部液型イオン選択電極の一例を示す概略図である。イオン選択電極のカートリッジ２０１には流路２０２が通っており，（ａ）は流路に垂直な面を，（ｂ）は流路に平行な面を示した図である。（ｃ）は（ａ）の鎖線での断面を表した図であり，流路に感応膜２０５が接しており，流路と反対側には内部液２０４が充填され，内部液２０４には銀塩化銀電極２０３が接触している。銀塩化銀電極２０３は端子も兼ねている。感応膜２０５には，ナトリウム，カリウム，カルシウム，マグネシウムなどの陽イオン選択電極の場合は Pure Appl. Chem., Vol. 72, No. 10, pp. 1851-2082, 2000 に記載されているようなものを，塩素，炭酸，チオシアン，硝酸，水酸，リン酸，硫酸，ヨウ素などの陰イオン選択電極の場合は Pure Appl. Chem., Vol. 74, No. 6, pp. 923-994, 2002 に記載されているようなものの他に，塩化銀，臭化銀などのハロゲン化銀やイオン交換膜（特開平１０−３１８９７３号公報，特開平１１−１３２９９１号公報，特開２００３−２０７４７６号公報）を，参照電極の場合は多孔質ガラス，セラミックなどを用いることができる。
【００２０】
図３は，図１や図２のイオン選択電極を用いた電解質測定装置の一例を示す概略図である。測定ユニット３０１には，制御部３０２，演算記録部３０３，出力部３０４が接続されている。測定ユニット３０１は希釈槽３１１，検体分注ノズル３１２，希釈液分注ノズル３１３，内部標準液分注ノズル３１４，吸引ノズル３１５，配管３１６，ナトリウムイオン選択電極３１７，カリウムイオン選択電極３１８，塩素イオン選択電極３１９，参照電極３２０，配管３２１，ポンプ３２２，電位計測部３２３を有する。検体分注ノズル３１２，希釈液分注ノズル３１３，内部標準液分注ノズル３１４はそれぞれ血液や尿などの検体，希釈液，内部標準液を希釈槽３１１に分注吐出する。希釈液は測定対象のイオンを含まないもしくは既知かつ低濃度であり，検体の希釈に用いることができる。内部標準液はイオン濃度が既知の試料であり，電位の校正に用いることができる。試料液吸引ノズル３１５は上下動でき，希釈槽３１１内の溶液をポンプ３２２の駆動力により吸引する。吸引された溶液は，配管３１６を通じて電極３１７〜３２０の流路に導入され，さらに，配管３２１を通じて廃液される。電極の端子は電位計測部３２３に接続されている。
【００２１】
図４は，図１や図２のイオン選択電極を用いた電解質測定装置の他の一例を示す概略図である。測定ユニット４０１には，制御部４０２，演算記録部４０３，出力部４０４が接続されている。測定ユニット４０１は希釈槽４１１，検体分注ノズル４１２，希釈液分注ノズル４１３，内部標準液分注ノズル４１４，吸引ノズル４１５，配管４１６，塩素イオン選択電極４１７，カリウムイオン選択電極４１８，ナトリウムイオン選択電極４１９，配管４２０，弁４２１，ジャンクション４２２，配管４２３，参照電極４２４，弁４２５，配管４２６，参照液４２７，配管４２８，ポンプ４２９，電位計測部４３０を有する。検体分注ノズル４１２，希釈液分注ノズル４１３，内部標準液分注ノズル４１４はそれぞれ血液や尿などの検体，希釈液，内部標準液を希釈槽４１１に分注吐出する。試料液吸引ノズル４１５は上下動でき，希釈槽４１１内の溶液をポンプ４２９の駆動力により吸引する。
【００２２】
弁４２１が開いていて，弁４２５が閉じている場合，吸引された溶液は配管４１６を通じて電極４１７〜４１９の流路に導入され，さらに，配管４２０，ジャンクション４２２，配管４２８を通じて廃液される。また，弁４２１が閉じていて，弁４２５が開いているときにポンプ４２９を駆動させると，参照液４２７が配管４２６を通じて吸引され参照電極４２４の流路に導入され，さらに，配管４２３，ジャンクション４２２，配管４２８を通じて廃液される。電極４１７〜４１９及び４２４の端子は電位計測部４３０に接続されている。電位計測部４３０は図３と同様のものを用いることができる。参照電極４２４に図２を用いて説明した多孔質ガラスやセラミックを用いた参照電極を用いる以外にも，参照電極４２４にイオン選択電極を用いてそれに対応する参照液４２７中の電解質濃度を一定としても良い。
【００２３】
図５は，本発明の固体電極型イオン選択電極もしくは従来の内部液型イオン選択電極を用いた電解質濃度測定の結果の一例を示す図である。カリウムイオン選択膜は，基材としてポリ塩化ビニル（ＰＶＣ）を３０％ｗ／ｗ含み，可塑剤としてｏＮＰＯＥを６６％ｗ／ｗ含み，リガンド（測定対象イオンと選択的に結合する物質）としてBis(benzo-15-crown-5)を含み，アニオン排除剤として疎水性陰イオンの塩であるテトラフェニルホウ酸カリウム（ＫＴｐＣｌＰＢ）を含む。ナトリウムイオン選択膜は，基材としてポリ塩化ビニル（ＰＶＣ）を３０％ｗ／ｗ含み，可塑剤としてｏＮＰＯＥを６６％ｗ／ｗ含み，リガンド（測定対象イオンと選択的に結合する物質）としてBis(12-crown-4)を含み，アニオン排除剤として疎水性陰イオンの塩であるTetrakis [3,5-bis(trifluoromethyl)phenyl] borate, sodium salt (NaTFPB)を含む。下地電極には，天然グラファイト（CAS. No. 7782-42-5）とパラフィンオイル（CAS. No. 8042-47-5）の重量比１：２の混合物を用いた。
【００２４】
図５（ａ）はカリウムイオン選択電極を感応膜に用いて塩化カリウム水溶液を，図５（ｂ）はナトリウムイオン選択電極を感応膜に用いて塩化ナトリウム水溶液を測定した結果である。いずれの結果も６１．６ｍＶ／decadeと理論値と等しい結果が得られた。このように，本発明の固体電極型イオン選択電極では内部液型イオン選択電極と同等の電位応答が得られた。
【００２５】
同様にして，固体電極型カリウムイオン選択電極を５個作製し，１０ｍｍｏｌ／ｌ塩化カリウム水溶液を測定した場合の電位を比較した。その結果，電位の標準偏差は３．６ｍＶと実用上許容される小ささ程度であり，本発明の固体電極型イオン選択電極では電位の個体差を抑制できることが分かった。個体差を抑制できる理由として，下地電極であるグラファイトと液体オイルの混合体が測定対象イオンである一価の陽イオンに対して応答性を有することが考えられる。
【００２６】
図６は，グラファイトと液体オイルの混合体が一価の陽イオンに対して応答性を有することを示す測定結果である。ポテンショスタットを用いて，グラファイトと液体オイルの混合体（感応膜を有さない）を作用電極に，飽和塩化カリウムを内部液に用いた銀塩化銀参照電極を参照電極に，白金電極を対向電極にして，（ａ）１００ｍｍｏｌ／ｌ塩化リチウム水溶液，（ｂ）１００ｍｍｏｌ／ｌ塩化ナトリウム水溶液，（ｃ）１００ｍｍｏｌ／ｌ塩化カリウム水溶液中で測定を行った。測定条件は，掃引速度１００ｍＶ／ｓとした。その結果，（ａ）〜（ｃ）のいずれの条件においても，−０．５Ｖ付近と０Ｖ付近にそれぞれ電流ピークが観測された。これらのピークは，グラファイトと液体オイルの混合体への陽イオンの取り込みと放出によるものと考えられる。
【００２７】
一方，測定溶液を図７（ａ）１００ｍｍｏｌ／ｌ塩化マグネシウム水溶液，（ｂ）１００ｍｍｏｌ／ｌ塩化カルシウム水溶液とした場合には，イオンの取り込みと放出に対応する電流ピークは観測されなかった。また，グラッシーカーボン電極を用いて１００ｍｍｏｌ／ｌ塩化カリウム水溶液中で測定を行った場合（ｃ）も，イオンの取り込みと放出に対応する電流ピークは観測されなかった。
【００２８】
すなわち，グラファイトと液体オイルの混合体は，一価の陽イオンに対して応答性を有し，二価の陽イオンに対する応答性は低い。
【００２９】
図８は，同様にして作製した下地電極に天然グラファイトとパラフィンオイルの混合体を用いた固体電極型カリウムイオン選択電極の１００ｍｍｏｌ／ｌ塩化カリウム水溶液に対する起電力の経日変化の一例を示す図である。日が経つにつれ起電力が徐々に低下しているのが分かる。原因として，天然グラファイト中の不純物，下地電極中のパラフィンオイルのイオン感応膜中への拡散を推定した。
【００３０】
グラファイト中の不純物への対策として，天然グラファイトの替わりに合成グラファイト（CAS. No. 1333-86-4）を用いた。図９はその結果を示し，合成グラファイトを用いることで電位の低下が半減した。天然グラファイトは様々な感応基を表面に有する炭素が含まれているため，それらの影響と推定される。
【００３１】
パラフィンオイルのイオン感応膜中への拡散への対策として，パラフィンオイルに替えてイオン感応膜の主成分である可塑剤（この場合，ｏＮＰＯＥ）を用いた。図１０はその結果を示し，電位の低下が１／４に抑制された。下地電極とイオン感応膜に含まれるオイルを共通にしたことで，オイルの拡散が抑制されたためと推定される。イオン感応膜に用いられている可塑剤がPure Appl. Chem., Vol. 72, No. 10, pp. 1851-2082, 2000に記載されているＤＯＡ，ＤＯＰ，ＤＯＳなどの別の可塑剤である場合は，下地電極にイオン感応膜で用いているのと同じ可塑剤を用いて同様の効果が得られる。
【００３２】
図１１は，下地電極に合成グラファイトと可塑剤（この場合，ｏＮＰＯＥ）の混合体もしくは合成グラファイトと可塑剤と疎水性陰イオンの塩（この場合，ＮａＴＦＰＢ）とリガンド（この場合，Bis(12-crown-4)）の混合物を用いて，感応膜に上記と同様のナトリウム選択膜を用いた固体電極型イオン選択電極の１００ｍｍｏｌ／ｌ塩化ナトリウム水溶液に対する起電力の経日変化の一例を示す図である。下地電極に合成グラファイトと可塑剤の混合体を用いた場合，作成直後は７．３ｍＶと小さかった標準偏差が，３０日後には２８ｍＶと増大している。それに対し，下地電極に合成グラファイトと可塑剤と塩とリガンドの混合物を用いた場合，作成直後の２．３ｍＶと小さな標準偏差が３０日経過しても３．９ｍＶと小さいまま維持されている。これは，感応膜に含まれている塩及びリガンドと同じ物質が同じ濃度で下地電極にも含まれているため，塩及びリガンドの拡散が抑制されたためと推定される。下地電極と感応膜の両方に含有させる塩としては，Pure Appl. Chem., Vol. 72, No. 10, pp. 1851-2082, 2000に記載されているＫＴＦＰＢ，ＫＴｍＣｌＰＢ，ＫＴＰＢ，ＫＴｐＣｌＰＢ，ＮａＴＦＰＢ，ＮａＴｐＣｌＰＢなどの疎水性陰イオンの塩を用いることができる。下地電極と感応膜の両方に含有させるリガンド（測定対象物質と選択的に結合する物質）としては，Pure Appl. Chem., Vol. 72, No. 10, pp. 1851-2082, 2000に記載されているＶａｌｉｎｏｍｙｃｉｎ，クラウンエーテル化合物などや，これらと同等のものを用いることができる。
【００３３】
液体オイルとして可塑剤を用いる場合，感応膜中の可塑剤濃度は重量％において，抵抗値が小さくなりすぎないため３３％以上，機械的強度が低くなりすぎないため７０％以下であり，場合によって抵抗値を減少させるために，４０〜７０％，５０〜７０％，もしくは６０〜７０％の間であり，好ましくは６６％である。その場合，下地電極中の可塑剤濃度は感応膜中の可塑剤濃度に合わせて，重量％において３３〜８０％，４０〜８０％，５０〜８０％，もしくは６０〜８０％の間であり，好ましくは６６％である。好ましくは，感応膜中の可塑剤濃度と下地電極中の可塑剤濃度は，重量％の比が±３０％，±２０％，±１０％，±５％，±３％，±１％以内であり，好ましくは±１％以内である。
【００３４】
図１２は，本発明の固体電極型イオン選択電極を用いた電解質濃度測定の結果の一例を示す図である。下地電極に天然グラファイト（CAS. No. 7782-42-5）とフッ素系高分子（FOMBLIN(R)）の混合物を用いて，感応膜に上記のカリウム選択膜を用いた。塩化カリウム水溶液を２５℃の条件下で測定したところ，理論値とほぼ等しい５８．４ｍＶ／decadeの電位応答が得られた。下地電極にフッ素系高分子を用いることで，電位変動をもたらす可能性のある感応膜中の成分の下地電極への拡散を防ぐことができる。一方で，図６で観測されていた一価の陽イオンに対する応答は維持されていることが，図１３から分かる。図１３は，ポテンショスタットを用いて，グラファイトとフッ素系高分子の混合体を作用電極に，飽和塩化カリウムを内部液に用いた銀塩化銀参照電極を参照電極に，白金電極を対向電極にして，１００ｍｍｏｌ／ｌ塩化カリウム水溶液中で測定を行った結果である。−０．４Ｖ付近と−０．２Ｖ付近にそれぞれ電流ピークが観測された。
【００３５】
液体オイルとしてフッ素系高分子を用いる場合，下地電極中のフッ素系高分子濃度は感応膜中の可塑剤濃度に合わせて，重量％において３３〜８０％，４０〜８０％，５０〜８０％，もしくは６０〜８０％の間であり，好ましくは６６％である。
【００３６】
図１４は，本発明の固体電極型イオン選択電極の他の一例を示す概略図である。電極基板１４０１は電極１４０５と端子１４０６を有しており，電極１４０５と端子１４０６は配線１４０７で電気的に接続されている。電極基板１４０１はウェル１４０２を有しており，ウェル１４０２の中には下地電極１４０３が満たされており，下地電極１４０３の上にはイオン感応膜１４０４が配置されている。参照電極とともに測定したい溶液に接触させ，本電極と参照電極との間の電位差を測定することで，イオン感応膜１４０４の対象とするイオンの濃度を得ることができる。電極基板１４０１としては，シリコン基板やポリプロピレン（ＰＰ），ポリエチレン（ＰＥ)，ポリカーボネート（ＰＣ），ポリエチレンテレフタレート（ＰＥＴ），ポリ塩化ビニル（ＰＶＣ）などの樹脂基板を用いることができる。電極１４０５，端子１４０６，配線１４０７は，電極基板１４０１がシリコン基板であれば，導電性の金属や導電性のポリシリコンを，電極基板１４０１が樹脂であれば，導電性の金属や金属ペースト，カーボンペーストを用いることができる。ウェル１４０２は樹脂を用いることが好ましく，イオン感応膜１４０４がＰＶＣを含んでいる場合はウェル１４０２もＰＶＣとすることで，ウェル１４０２とイオン感応膜１４０４の密着度を高めることができる。
【００３７】
図１５は電解質濃度測定装置を用いたシステムの例を示す図である。（ａ）は生化学自動分析装置１５０１に主に光学計測を行う生化学測定装置と電解質濃度測定装置が搭載されている。生化学自動分析装置１５０１は操作部から操作を行うことができる。（ｂ）は電解質濃度測定装置と生化学測定装置と免疫測定装置などの各装置が独立しており，検体搬送装置との間で検体のやり取りが行われる。各装置は操作部から操作を行うことができる。例えば，操作部からある検体中のイオン濃度測定を指示すると，（ａ），（ｂ）どちらにおいても指定した検体が電解質濃度測定装置に運ばれ，イオン濃度が測定され，結果が出力される。
【００３８】
なお，本発明は上記した実施例に限定されるものではなく，様々な変形例が含まれる。例えば，上記した実施例は本発明を分かりやすく説明するために詳細に説明したものであり，必ずしも説明した全ての構成を備えるものに限定されるものではない。また，ある実施例の構成の一部を他の実施例の構成に置き換えることが可能であり，また，ある実施例の構成に他の実施例の構成を加えることも可能である。また，各実施例の構成の一部について，他の構成の追加・削除・置換をすることが可能である。
【符号の説明】
【００３９】
１０１  イオン選択電極のカートリッジ
１０２  流路
１０３  白金線
１０４  グラファイトと液体オイルの混合体
１０５  感応膜
１０６  フタ
２０１  イオン選択電極のカートリッジ
２０２  流路
２０３  銀塩化銀電極
２０４  内部液
２０５  感応膜
３０１，４０１  測定ユニット
３０２，４０２  制御部
３０３，４０３  演算記録部
３０４，４０４  出力部
３１１，４１１  希釈槽
３１２，４１２  検体分注ノズル
３１３，４１３  希釈液分注ノズル
３１４，４１４  内部標準液分注ノズル
３１５，４１５  吸引ノズル
３１６，３２１，４１６，４２０，４２３，４２６，４２８  配管
３１７，４１９  ナトリウムイオン選択電極
３１８，４１８  カリウムイオン選択電極
３１９，４１７  塩素イオン選択電極
３２０，４２４  参照電極
３２２，４２９  ポンプ
３２３，４３０  電位計測部
１４０１  電極基板
１４０２  ウェル
１４０３  下地電極
１４０４  イオン感応膜
１４０５  電極
１４０６  端子
１４０７  配線
１５０１  生化学自動分析装置
【図１】
2015068796.tif 000003
【図２】
2015068796.tif 000004
【図３】
2015068796.tif 000005
【図４】
2015068796.tif 000006
【図５】
2015068796.tif 000007
【図６】
2015068796.tif 000008
【図７】
2015068796.tif 000009
【図８】
2015068796.tif 000010
【図９】
2015068796.tif 000011
【図１０】
2015068796.tif 000012
【図１１】
2015068796.tif 000013
【図１２】
2015068796.tif 000014
【図１３】
2015068796.tif 000015
【図１４】
2015068796.tif 000016
【図１５】
2015068796.tif 000017